(57)【要約】      （修正有）【課題】常に携帯できるようにデザイン性に優れ、しかも簡単に利用、収納できる操作性の良い携帯バックを提供する。【解決手段】バック本体と、対抗面が開口する円形のお椀状の上部カバーと下部カバーを対抗させ、断面形状が略円形又は楕円形状に構成し、上部カバーと下部カバーが互いに開口面の円周方向に回転できるバック収納部と、上部カバーと下部カバーの一方にバック本体の出入口と、さらにバック本体を巻きつける巻取軸を上部カバーと下部カバーの一方の内側に固着して、この軸にバック本体を巻きつけるようにした。【選択図】図１
0003174320.tif 000002
【実用新案登録請求の範囲】
【請求項１】
バック本体と、
対抗面が開口する円形のお椀状の上部カバーと下部カバーを対抗させ、断面形状が略円形又は楕円形状に構成し、前記上部カバーと前記下部カバーが互いに開口面の円周方向に回転できるバック収納部と、
前記上部カバーと下部カバーの一方に前記バック本体の出入口と、
前記バック本体を巻きつける巻取軸を前記上部カバーと下部カバーの一方の内側に固着してなることを特徴とする携帯バック。
【請求項２】
請求項１記載の前記上部カバーと下部カバーの一方に、円周方向に回転させるための指掛穴を設けてなることを特徴とする前記請求項１記載の携帯バック。
【請求項３】
請求項１および請求項２に記載の前記上部カバーと下部カバーの一方には、さらに円周方向に回転させるための取手を設けてなることを特徴とする前記請求項１乃至２記載の携帯バック。
【考案の詳細な説明】
【技術分野】
【０００１】  本考案は、バックをコンパクトに収納し、必要な時に簡単に使用できる携帯バックに関する。
【背景技術】
【０００２】  近年、環境問題の観点から、買い物の際には、買い物をする側で買い物袋を持参する運動が推進されている。そこで携帯に便利で、しかもコンパクトに収納できるエコバッグと称される各種の袋が提案されている。【０００３】  携帯可能なバックとしては、実用新案登録第３１４１６２９号公報で紹介されるようなバッグなどが知られている。これらのバッグは、折りたたんだ際、コンパクトになるので、便利であり、周知のものとなっている。しかし、買い物用として、これらの袋は、折りたたんで携帯するため、収納方法等をよく理解しないとなかなか折りたためず、収納には、勝手が悪いものとなっている。【０００４】  一方、環境問題を意識して常に携帯しているということが若者を中心に進んでいる。また、携帯するかたちは、鞄の中に携帯していたり、直接持っていたりする場合など様々であるが、デザイン性も悪く、常に携帯するという習慣が身に付きにくくなっている。【０００５】  そこで、特開２００９−２０２９３８号公報で紹介されているものが提案された。この考案は携帯に便利なように、また習慣づけやすくする方法に着目し小さな買い物袋を折りたたみ、ファスナー付きの袋型ぬいぐるみの中に収納するものなどが提案されている。【０００６】  しかしながら、これらの袋は、収納する際、収納方法が複雑だったり、丁寧に折りたたまないと、簡単に収納できず、収納の簡便さがなく、やはり使い勝手が悪いものとなっている。
【先行技術文献】
【特許文献】
【０００７】
【特許文献１】実用新案登録第３１４１６２９号公報
【特許文献２】特開２００９−２０２９３８号公報
【考案の概要】
【考案が解決しようとする課題】
【０００８】  上述するように、携帯バックは、常に携帯できるようにデザイン性に優れ、しかも簡単に利用、収納できる操作性の良い携帯バックが望まれている。本考案はその両面が満たされた携帯バックを目的としている。
【課題を解決するための手段】
【０００９】  本考案は、バック本体と、対抗面が開口する円形のお椀状の上部カバーと下部カバーを対抗させ、断面形状が略円形又は楕円形状に構成し、前記上部カバーと前記下部カバーが互いに開口面の円周方向に回転できるバック収納部と、前記上部カバーと下部カバーの一方に前記バック本体の出入口と、さらに前記パック本体を巻きつける巻取軸を前記上部カバーと下部カバーの一方の内側に固着して構成し、前記上部カバーと前記下部カバーを開口面の円周方向に回転させて、この巻取軸に前記バック本体を巻きつけるようにした。【００１０】  また請求項２に記載される携帯バックは、上部カバーと下部カバーの一方に、円周方向に回転させ、バック本体を前記巻取軸に巻きつけさせる指掛穴を設けている。【００１１】  さらに請求項３に記載される携帯バックは、上部カバーと下部カバーの一方には、円周方向に回転させるための取手を設け、バック本体を前記軸に巻きつけ安くしている。
【考案の効果】
【００１２】    本考案の携帯バックは、バック収納部から簡単にバック本体を引き出し、利用することができ、収納も上部カバーと下部カバーを回転させるだけで簡単にでき、きわめて操作性の良い携帯バックが提供できる。
【図面の簡単な説明】
【００１３】
【図１】  本考案の一実施例を示す携帯バック説明図。
【図２】  本考案の一実施例を示すバック収納部の説明図。
【図３】  本考案の一実施例を示すバック収納部から袋本体を引き出した状態を示す説明図。
【図４】  本考案の一実施例を示す上部カバーと下部カバーの係止状態を示す説明図。
【００１４】  以下の実施例により本考案を詳細について説明する。
【実施例】
【００１５】  本考案の実施形態を図面に基づいて説明する。
図１は、本考案の一実施例を示す携帯バック１の説明図であって、対抗面が開口する円形のお椀状の上部カバー２と下部カバー３を対抗させ、図２に示すように、断面形状が楕円形状に構成されている。前記上部カバー２と前記下部カバー３互いに開口面の円周方向に回転できるバック収納部４と、さらに前記下部カバー３に前記バック本体の出入口５と、バック本体８を巻きつける巻取軸６を前記上部カバー２の内側に固着している。【００１６】  図１中１３は、袋本体９を引き出すための袋引出片１３で、袋の一端（本実施例では袋の取っ手）にリング１４を介して接続されている。また、この袋引出片１３は、携帯バックの携帯時に持ち運び用ストラップを兼ねており、軽く引いても袋本体が出てこないようになっている。袋本体９を引き出すには多少強めに引っ張ることで引き出せるような巻取具合になっている。【００１７】  図３は、袋本体９を引出した状態の説明図であり、袋引出片１３をもって、多少強めにバック収納部から引き出せば、瞬時に袋本体９を使用できるようになっている。さらに袋本体９とバック収納部４は、紐１５で接続されており、あらかじめ袋本体９に設けられたバック収納部袋１０にこのバック収納部４を収納すれば、袋本体９の使用時には、邪魔にならない。【００１８】  また、袋本体９を収納するときは、図２に示されるようにバック本体８を巻きつける巻取軸６が前記上部カバー２の内側に固着しているため、上部カバーを回転させれば、紐１５が巻き取られ、さらに袋本体が９が巻き取られて行くので簡単に袋本体を収納できる。その際にまず紐１５を巻き取るときには、取っ手８を持って、上部カバーを回転させれば簡単に紐１５を巻き取ることができ、さらに指掛穴に三本の指を入れて上部カバーを回せば、軽い力で袋本体を巻取軸６に巻き取ることができる。【００１９】  図４は、本考案の一実施例を示す上部カバーと下部カバーの係止状態を示す説明図であり、携帯バックの製造時に、紐１５の先端をまず下部カバーの出入口５（外側から）通し、さたに上部カバーの巻取軸に係止して、上部カバー２と下部カバー３を合体させれば上部カバー係止部１１と下部カバー係止部１２がかみ合って合体でき、互いに円周方向に回転できるようになり、紐１５と袋本体が巻き取れるようになっている。【００２０】  尚、図１に示される取手８に代えて、適宜なリングを介してキーホルダーやリボンをなどを取り付けてもよく、軽い力で回せるようにできるなら、取り付けるものは、各種選択できる。【００２１】  また、本実施例では出入口５は、下部カバー３に、巻取軸６は、上部カバー２の内側に取り付けたが、それぞれ、上部カバー２、下部カバー３の反対側につけても差し支えないが、出入口５は、袋本体９と収納するとき出入口５が回転しないほうが良いため指掛穴６や取手８の反対側にあることが理想的である。【００２２】  以上のように本考案の携帯バックは、簡単に袋本体９を引き出せ、袋本体９を収納するときにも簡単に収納でききわめて便利でデザイン性にも優れた携帯バックを提供できる。
【符号の説明】
【００２３】  １・・・携帯バック
２・・・上部カバー
３・・・下部カバー
４・・・バック収納部
５・・・出入口
６・・・巻取軸
７・・・指掛穴
８・・・取手
９・・・袋本体
１０・・・バック収納部袋
１１・・・上部カバー係止部
１２・・・下部カバー係止部
１３・・・袋引出片
１４・・・リング
１５・・・紐
【図１】
0003174320.tif 000003
【図２】
0003174320.tif 000004
【図３】
0003174320.tif 000005
【図４】
0003174320.tif 000006